(57)【要約】      （修正有）【課題】二重焦点コンタクトレンズにおいて遠見視力から近見視力に位置を変化させるとき目の表面での切換を支援する。【解決手段】コンタクトレンズは、遠見および近見視力領域を有する。遠見視力領域は、瞳孔を覆う程度の大きさである第１の区域を光学領域内に有し、これによって水平方向を見ている時に、ユーザーの瞳孔を遠見視力領域に対面させる。近見視力領域は回転軸と実質的に同心であり、遠見視力領域から外側に向かって放射状に広がる。近見視力領域は近見視力矯正を与える第２の曲率半径を有し、瞳孔を覆う程度の大きさである第２の区域を有する。近見視力領域は、水平方向のポイントより下の近見視力ポイントを見ている時にユーザーの瞳孔が近見視力領域に対面するように配置される。隆起領域は、縦方向の切り替えの支えとなるようにユーザーの下眼瞼との係合を可能とし、遷移領域は、隆起領域から光学領域への円滑な遷移を与える。【選択図】なし【特許請求の範囲】
【請求項１】
外面および対向する内面を有するコンタクトレンズであって、
（ａ）ソフトコンタクトレンズ材料よりなる二焦点光学領域と；
（ｂ）同様にソフトコンタクトレンズ材料よりなり、二焦点光学領域の下端部から下向に下降する遷移領域と；
（ｃ）同様にソフトコンタクトレンズ材料よりなり、遷移領域から下向に下降し、外面から外側に向かって突出し、ユーザーが着用している時に、コンタクトレンズの縦方向の切り替えを支えるようにユーザーの下眼瞼との係合を可能にする形状を有する緯線方向の隆起部位を含む隆起領域と、
を含むことを特徴とするコンタクトレンズ。
【請求項２】
上部、底部、回転軸、内面および対向する外面を有し、外面は複数の領域を含む、コンタクトレンズであって、
（ａ）下端部を有する光学領域であり、
（ｉ）遠見視力矯正を与える第１の曲率半径を有し、かつユーザーの瞳孔の大部分を覆うのに充分な大きさであり光学領域内の第１の位置に配置される第１の区域を有し、これによってユーザーが実質的に水平方向のポイントを見ている時に、ユーザーの瞳孔を遠見視力領域に実質的に対面させる遠見視力領域と、
（ｉｉ）遠見視力領域から外側に向かって放射状に広がり、近見視力矯正を与える第２の曲率半径を有し、かつユーザーの瞳孔の大部分を覆うのに充分な大きさであり光学領域内の第２の位置に配置される第２の区域を有し、これによってユーザーが実質的に水平方向のポイントより下の近見視力ポイントを見ている時に、ユーザーの瞳孔を近見視力領域に実質的に対面させる近見視力領域と、
を含む光学領域と；
（ｂ）上端部と下端部とを有し、光学領域の下に配置される隆起領域であり、外面から外側に向かって突出しユーザーの下眼瞼との係合を可能とし、それによってユーザーが着用している時に、コンタクトレンズの縦方向の切り替えの支えとなる緯線方向の隆起部位を含む隆起領域と；
（ｃ）光学領域の下端部から隆起領域の上端部に広がり、隆起領域から光学領域への円滑な遷移を与える遷移領域と；
（ｄ）隆起除去領域および隆起領域の下端部から外側に向かって放射状に広がり、狭端部に向かって漸減するベベル領域と、
を含むコンタクトレンズ。
【請求項３】
遠見視力領域が、コンタクトレンズの回転軸からオフセットされた中心部を有する、請求項２に記載のコンタクトレンズ。
【請求項４】
遠見視力領域が、楕円形状を有する、請求項２に記載のコンタクトレンズ。
【請求項５】
光学領域が上端部を含み、隆起領域が第１の側端部と第２の側端部とを備える、請求項２に記載のコンタクトレンズであり、更に光学領域の上端部、隆起領域の第１の側端部および隆起領域の第２の側端部から外側に向かって広がる隆起除去領域を備え、隆起除去領域は、隆起除去領域、光学領域、隆起領域および遷移領域がユーザーの角膜全体を実質的に覆うのに充分な面積を有する、コンタクトレンズ。
【請求項６】
ソフトコンタクトレンズ材料を含む、請求項２に記載のコンタクトレンズ。
【請求項７】
ソフトコンタクトレンズ材料が、シリコンハイドロゲルを含む、請求項６に記載のコンタクトレンズ。
【請求項８】
ソフトコンタクトレンズ材料が、ＨＥＭＡを含む、請求項６に記載のコンタクトレンズ。
【請求項９】
コンタクトレンズ型の製造に用いられるマスターモデルを製造する方法であって、
（ａ）外面を有するブランクを第１の回転軸を中心として回転させ、ブランクの外面上に少なくとも１つの第１の面を切削する工程と；
（ｂ）複数の第２の回転軸を中心としてブランクを回転させ、各々の第２の回転軸は第１の回転軸と異なり、各第２の回転軸で回転している間に、ブランクの外面から隆起除去表面の部分を切削し、それによってブランクが複数の第２の回転軸の各々を中心として回転された後に、隆起除去表面が形成される工程と、
を含む方法。
【請求項１０】
ブランクをスピンドルに取り付け、ブランクを複数の第２の回転軸を中心として回転させる工程が、スペーサーをスピンドルに複数の方向で適用する工程を含み、ここでスペーサーが各々複数の方向で、スピンドルに適用される時、ブランクが複数の第２の回転軸の内の１つの異なる第２の回転軸を中心として回転する、請求項９に記載の方法。
【請求項１１】
少なくとも第１の面の一部が、遠見視力面を含む、請求項９に記載の方法。
【請求項１２】
少なくとも第１の面の一部が、近見視力面を含む、請求項９に記載の方法。
【請求項１３】
少なくとも第１の面の一部が、隆起面を含む、請求項９に記載の方法。
【請求項１４】
少なくとも第１の面の一部がベベル面を含む、請求項９に記載の方法。
【発明の詳細な説明】
【技術分野】
【０００１】
本発明は光学に関し、更に詳細にはソフトコンタクトレンズに関する。
【背景技術】
【０００２】
コンタクトレンズは、多くの異なる種類の視力障害に幅広く用いられている。これらは、近視および遠視（それぞれ、近視眼、遠視眼）等の障害、および通常老化に関連した近接範囲の視力における障害（老眼）を含む。老眼は、人間が老化して目のレンズが結晶化し始め、その弾力性を失った時に発生し、目は次第に近くの物体に焦点を合わせる能力を失う結果となる。
【０００３】
老眼の人の中には、近視と遠視の両方の障害を持っているため、視力を適切に矯正するために二焦点レンズを必要とする場合がある。多くの人は視力矯正のため二焦点眼鏡よりもコンタクトレンズを着用することを好む。
【０００４】
典型的な単一視コンタクトレンズは、レンズが平行光線に対して直角に設置されている時にその平行光線が集まるポイントである焦点、およびその焦点からレンズの中心に引かれた想像上の線である光軸を有している。後方面は角膜に対して密着し、対向する前面は目の視力を矯正するための光を集める視力面を有している。典型的な球面レンズの場合、視力面は、視力面上のいずれかのポイントから曲率の中心と呼ばれる光軸上のポイントまでの距離である単一の曲率半径を有する。二焦点レンズはレンズの前方面上に少なくとも２つの視力面、即ち、遠方の物体を見るための遠見視力面、および近くの物体を見る（例えば読書時）ための近見視力面を有している。
【０００５】
二焦点コンタクトレンズを有効に使用するためには、目が離れた物体を見ることから近くの物体を見ることに変化させる時、視力面の間で視線の切り替えを行う必要がある。このような状況において、瞳孔は遠見視力面に対面している状態から近見視力面に対面している状態に移動しなければならない。
【０００６】
コンタクトレンズは一般的にハードレンズあるいはソフトレンズのいずれかである。ハードレンズはソフトレンズと比較すると付け心地がよくない傾向があり、それ故に通常、より短い期間しか着用されない。
【０００７】
ハード二焦点コンタクトレンズには多くのデザインがあるが、ソフトコンタクトレンズは、目の視方向が水平線を見る遠見視力から下を見る近見視力に変化させる時、目の表面で切り替えをすることが困難である。これは、角膜の形状にぴったりと適合するソフトコンタクトレンズの能力のためである。このことから、ソフト切り替え二焦点コンタクトレンズは一般的ではない。従って、二焦点コンタクトレンズを望むユーザーは通常、より付け心地の悪いハードレンズの使用に制限され、一方ではソフトコンタクトレンズの着用を望むユーザーは通常、単一焦点レンズの着用に制限される。
【０００８】
従って、目が遠見視力から近見視力に位置を変化させる時に目の表面での切り替えを支援するソフト二焦点コンタクトレンズが必要とされている。
【発明の概要】
【０００９】
従来技術の欠点は、一態様において、上部、底部、回転軸、内面および対向する外面を有し、前記外面は複数の領域を含むコンタクトレンズである本発明によって克服される。複数の領域は、光学領域、隆起領域、遷移領域およびベベル領域を含む。光学領域は下端部を有し、遠見視力領域および近見視力領域を含む。
【００１０】
遠見視力領域は、遠見視力矯正を与える第１の曲率半径を有する。遠見視力領域はまた、ユーザーの瞳孔の大部分を覆うのに充分な大きさであり、ユーザーが実質的に水平方向のポイントを見ている時にユーザーの瞳孔が遠見視力領域に実質的に対面するように光学領域内の第１の位置に配置される、第１の区域を有する。
【００１１】
従って、一態様において、本発明は、外面および対向する内面を有するコンタクトレンズであって、
（ａ）ソフトコンタクトレンズ材料よりなる二焦点光学領域と；
（ｂ）同様にソフトコンタクトレンズ材料よりなり、二焦点光学領域の下端部から下向に下降する遷移領域と；
（ｃ）同様にソフトコンタクトレンズ材料よりなり、遷移領域から下向に下降し、外面から外側に向かって突出し、ユーザーが着用している時に、コンタクトレンズの縦方向の切り替えを支えるようにユーザーの下眼瞼との係合を可能にする形状を有する緯線方向の隆起部位を含む隆起領域と、
を備えることを特徴とする、コンタクトレンズに関する。
近見視力領域は回転軸と実質的に同心であり、遠見視力領域から外側に向かって放射状に広がる。近見視力領域は近見視力矯正を与える第２の曲率半径を有し、ユーザーの瞳孔の大部分を覆うのに充分な大きさである第２の区域を有する。近見視力領域は、ユーザーが実質的に水平方向のポイントより下の近見視力ポイントを見ている時に、ユーザーの瞳孔が近見視力領域に実質的に対面するように、光学領域内の第２の位置に配置される。
【００１２】
隆起領域は上端部と下端部とを有し、光学領域の下に配置される。隆起領域は、外面から外側に向かって突出しユーザーの下眼瞼との係合を可能とし、それによってユーザーが着用している時に、コンタクトレンズの縦方向の切り替えを支える緯線方向の隆起部位を含む。遷移領域は、光学領域の下端部から隆起領域の上端部に広がり、隆起領域から光学領域への円滑な遷移を与える。
【００１３】
従って、更なる態様において、本発明は、上部、底部、回転軸、内面および対向する外面を有し、外面は複数の領域を含む、コンタクトレンズであって、
（ａ）下端部を有する光学領域であり、
（ｉ）遠見視力矯正を与える第１の曲率半径を有し、かつユーザーの瞳孔の大部分を覆うのに充分な大きさであり光学領域内の第１の位置に配置される第１の区域を有し、これによってユーザーが実質的に水平方向のポイントを見ている時に、ユーザーの瞳孔を遠見視力領域に実質的に対面させる遠見視力領域と、
（ｉｉ）遠見視力領域から外側に向かって放射状に広がり、近見視力矯正を与える第２の曲率半径を有し、かつユーザーの瞳孔の大部分を覆うのに充分な大きさであり光学領域内の第２の位置に配置される第２の区域を有し、これによってユーザーが実質的に水平方向のポイントより下の近見視力ポイントを見ている時に、ユーザーの瞳孔を近見視力領域に実質的に対面させる近見視力領域
を含む光学領域と；
（ｂ）上端部と下端部とを有し、光学領域の下に配置される隆起領域であり、外面から外側に向かって突出しユーザーの下眼瞼との係合を可能とし、それによってユーザーが着用している時に、コンタクトレンズの縦方向の切り替えの支えとなる緯線方向の隆起部位を含む隆起領域と；
（ｃ）光学領域の下端部から隆起領域の上端部に広がり、隆起領域から光学領域への円滑な遷移を与える遷移領域と；
（ｄ）隆起除去領域および隆起領域の下端部から外側に向かって放射状に広がり、狭端部に向かって漸減するベベル領域と、
を備えるコンタクトレンズに関する。
【００１４】
更に、本発明は、コンタクトレンズ型の製造に用いられるマスターモデルを製造する方法に関する。外面を有するブランクを、第１の回転軸を中心として回転させ、ブランクの外面上に少なくとも１つの第１の面を切削する。ブランクはまた、複数の第２の回転軸を中心として回転し、各第２の回転軸は第１の回転軸とは異なる。ブランクが各第２の回転軸で回転している間、ブランクの外面から隆起除去表面の部分を切り出す。それによって、ブランクが複数の第２の回転軸の各々を中心として回転された後に、隆起除去表面が形成される。
【００１５】
従って、更なる態様において、本発明は、コンタクトレンズ型の製造に用いられるマスターモデルを製造する方法であって、
（ａ）外面を有するブランクを第１の回転軸を中心として回転させ、ブランクの外面上に少なくとも１つの第１の面を切削する工程と；
（ｂ）複数の第２の回転軸を中心としてブランクを回転させ、各々の第２の回転軸は第１の回転軸と異なり、各第２の回転軸で回転している間に、ブランクの外面から隆起除去表面の部分を切削し、それによってブランクが複数の第２の回転軸の各々を中心として回転された後に、隆起除去表面が形成される工程と、
を含む方法に関する。
【００１６】
これらおよび他の本発明の態様は、以下の図面に関連した、以下の好ましい実施例の説明から明らかとなる。当業者には明らかであるが、開示された新たな概念の精神および範囲から逸脱することなく、本発明の多くの変化および変更を実施し得る。
【図面の簡単な説明】
【００１７】
【図１Ａ】図１Ａは、本発明の一実施例の正面図である。
【図１Ｂ】図１Ｂは、図１Ａに示された実施例の、線１Ｂ−１Ｂに沿って取られた、水平軸に沿って拡大された断面図である。
【図１Ｃ】図１Ｃは、図１Ｂの部分詳細図である。
【図２Ａ】図２Ａは、スピンドルに取り付けられ、切削されていないマスターモデルのブランクの側面図である。
【図２Ｂ】図２Ｂは、第１の面がマスターモデルのブランクから切削された後の図２Ａのマスターモデルのブランクの側面図である。
【図２Ｃ】図２Ｃは、スピンドルおよびマスターモデルのブランクの回転軸をオフセットするために用いられるスペーサーの斜視図である。
【図２Ｄ】図２Ｄは、隆起除去表面がマスターモデルのブランクから切削された後の、マスターモデルブランクおよび図２Ｃのスペーサーが適用されたスピンドルの側面図である。
【図３Ａ】図３Ａは、第１隆起除去領域が切削された後のマスターモデルのブランクの正面図である。
【図３Ｂ】図３Ｂは、第２隆起除去領域が切削された後のマスターモデルのブランクの正面図である。
【図３Ｃ】図３Ｃは、第３隆起除去領域が切削された後のマスターモデルのブランクの正面図である。
【図３Ｄ】図３Ｄは、第４隆起除去領域が切削された後のマスターモデルのブランクの正面図である。
【図３Ｅ】図３Ｅは、第５隆起除去領域が切削された後のマスターモデルのブランクの正面図である。
【図４Ａ】図４Ａは、水平な遠見視力領域および近見視力領域を有する光学領域の正面図である。
【図４Ｂ】図４Ｂは、非円形の遠見視力領域を有する光学領域の正面図である。
【図４Ｃ】図４Ｃは、円形の遠見視力領域および近見視力領域を有する光学領域の正面図である。
【発明を実施するための形態】
【００１８】
以下、本発明の好ましい実施例を詳細に説明する。図面に関して、全図面を通して同じ部分は同じ番号で示す。本明細書における説明および請求の範囲を通して使用されるように、文脈が明確に指示している場合を除いては、英文明細書においては、以下の語はここにはっきりと関連した意味を持っている。即ち、「a」、「an」および「the」の意味は複数を示す場合を含み、「in」の意味は「in」および「on」を含む。
【００１９】
図１Ａ〜１Ｃに示すように、本発明の一実施例は、上部１０８、底部１０９、回転軸１０２、内面１０４および対向する外面１０６を有するコンタクトレンズ１００である。外面１０６は、光学領域１１０、遷移領域１４０、隆起領域１５０、隆起除去領域１６０およびベベル領域１７０を含む。光学領域１１０は下端部１１４を有し、かつ遠見視力領域１２０および近見視力領域１３０を含む。
【００２０】
遠見視力領域１２０は、ユーザーに遠見視力矯正を与える第１の曲率半径を有する。遠見視力領域１２０の面積は、ユーザーの瞳孔１０６ａの大部分を覆うのに充分な大きさである。遠見視力領域１２０は、ユーザーが実質的に水平方向のポイントを見ている時に、ユーザーの瞳孔１０６ａが遠見視力領域１２０に実質的に対面するように配置される。典型的には、遠見視力領域１２０は回転軸１０２からオフセットされている。これは、目１０７が下方を見ている時（例えば、目１０７が読書をしている時）、瞳孔１０６が近見視力領域１３０に実質的に対面するようにするためである。中心１０２から遠見視力領域１２０の底部までの距離ａは、水平線を見る時に、瞳孔１０６ａが遠見視力領域１２０に実質的に対面することができるように最短距離でなければならない。この結果、遠見視力領域１２０は楕円形状を有するであろう。
【００２１】
近見視力領域１３０は回転軸１０２と実質的に同心であり、遠見視力領域１２０から外側に向かって放射状に広がる。近見視力領域１３０はユーザーに近見視力矯正を与える第２の曲率半径を有する。近見視力領域１３０の面積は、瞳孔１０６ｂの大部分を覆うのに充分な大きさである。近見視力領域１３０は、ユーザーが実質的に水平方向のポイントより下の近見視力ポイントを見ている時（例えば、読書時）に、ユーザーの瞳孔１０６ｂが近見視力領域１３０に実質的に対面するように配置される。遠見視力領域１２０および近見視力領域１３０の両方とも、レンズ１００の内面１０４あるいは外面１０６のいずれかに配設することができる。
【００２２】
隆起領域１５０は、レンズ１００の縦方向の切り替えを支える。隆起領域１５０は、上端部１５６、下端部１５８、第１の側端部１５２および第２の側端部１５４を有する。隆起領域１５０は光学領域１１０の下に配置される。緯線方向隆起部位１５９は外面１０６から外側に向かって突出し、ユーザーの下眼瞼１０５との係合を可能にする。従って、目１０７が下向方向に動いた場合、隆起部位１５９は下眼瞼１０５と係合し、レンズ１００を支え、これによって目１０７の表面でのレンズ１００の切り替えを可能にしている。
【００２３】
遷移領域１４０は、隆起領域１５０から光学領域１１０への円滑な遷移を与える。遷移領域１４０は光学領域１１０の下端部１１４から隆起領域の上端部１５６に広がる。
【００２４】
典型的には、角膜を覆うために、レンズ１００は、光学領域１１０の上端部１１２、隆起領域１５０の第１の側端部１５２および隆起領域１５０の第２の側端部１５４から外側に向かって広がる隆起除去領域１６０も含む。隆起除去領域１６０は、隆起除去領域１６０、光学領域１１０、隆起領域１５０および遷移領域１４０がユーザーの角膜全体を実質的に覆うのに充分な面積を有するべきである。隆起除去領域１６０はレンズに回転の安定性を与え、レンズ１００の快適さを改善する。快適さを増すために、レンズ１００は狭端部１７２に向かって漸減し、隆起除去領域１６０および隆起領域１５０の下端部１５８から外側に向かって放射状に広がるベベル領域１７０を含んでもよい。
【００２５】
本発明によるレンズ１００は、典型的にはシリコンハイドロゲルあるいはＨＥＭＡ等のソフトコンタクトレンズ材料から作られる。しかし、如何なるソフトコンタクトレンズ材料からなる上記の如何なるレンズも、本発明の範囲に含まれることは理解されるであろう。
【００２６】
本発明によるコンタクトレンズを、従来のコンタクトレンズ成形プロセスを使用して造ることができる。このようなプロセスを用いれば、外面のマスターモデルおよび内面のマスターモデルから型を作ることができる。外面のマスターモデルを、コンタクトレンズのマスターモデルを製造する際に従来使用されてきたタイプの旋盤と併せて、従来のコンピュータ制御カッターで形成することができる。
【００２７】
図２Ａに示すように、マスターモデルのブランク２００をスピンドル２２０に取り付け、予め選択された方向Ａに回転軸２０２を中心として回転させる。始めに、図２Ｂに示すように、少なくとも１つの第１の面２１０がブランク２００の外面２０６上に切削される。第１の面２１０は、光学領域、遷移領域、隆起領域２５０およびベベル領域を含む。このとき、隆起領域２５０はブランク２００の外面の周囲を環状に広がる。ブランク２００が回転するに時に（従来のコンピュータ制御機構と同様に）、切削器の深さを注意深く制御することによってブランク２００に様々な視力面が切削される。
【００２８】
切断器の精度によっては、隆起除去領域の切削の際にブランク２００の回転軸をずらす必要がある場合がある。これは、スピンドル２２０に、図２Ｃに示すようなスペーサー２３０を付加することによって行われる。スペーサー２３０は、基本的には、スペーサーを縦に貫く孔２３２を有する細長いスリーブである。孔２３２は、スピンドル２２０をスペーサー２３０内に嵌合させるようにスピンドル２２０に対応した形状となっている。スペーサー２３０は第２の回転軸２０４を有しているため、スピンドル２２０がスペーサー２３０に挿入された時に、ブランク２００がスピンドル２２０の回転軸２０２からオフセットされた第２の回転軸２０４を中心として回転する。スペーサー２３０内のスピンドル２２０の向きを変えることによって、ブランクは複数の第２のオフセット回転軸を有する。各異なるオフセット回転軸によってブランク２００が様々に中心を異にする軌道で回転するため、ブランク２００の最外側端部の異なる部分はその軌道の間で最も外側に位置することになる。従って、スピンドル２２０が、図２Ｄに示すように、スペーサー２３０内に設置された場合、スピンドル２２０の回転軸２０２と対向するブランク２００の部位２６０は、第２のオフセット回転軸２０４から最も遠くの軌道を回転する。このように回転する時、弧状部位２６０をブランク２００に切削し、ブランクから望ましくない部分２６２を除去してもよく、これによって隆起除去領域の部位が形成される。
【００２９】
図３Ａ〜３Ｅに示すように、完全な隆起除去領域３６０は、ブランク３００を複数の第２の軸３０４ａ〜ｅを中心に回転させ（それぞれ、ブランクの回転軸３０２からオフセットされている）、ブランク３００から複数の弧状部位３６２ａ〜ｅを切削することによって形成される。一般的に、５つの弧状部位３６２を切削することにより、隆起除去領域３６０が形成されるが、対応する数のオフセット回転軸３０４を用いて更に多くの弧状部位３６２を切削すれば、結果として、より円滑な隆起除去領域３６０を生ずる。
【００３０】
当業者には容易に理解され得るように、本発明では多くの異なる形状の視覚領域が可能である。このような形状４１０ａ〜ｃの３つの図示例を、図４Ａ〜４Ｃに示す。
【００３１】
上述の実施例は、説明上の実例として与えられたに過ぎない。本発明から逸脱することなく、本明細書に開示された特定の実施例から多くの変形を作り得ることは容易に理解できるであろう。従って、本発明の範囲は、詳細に説明した上記実施例に限定されるよりもむしろ特許請求の範囲によって定められる。
【図１Ａ】
2011175288.tif 000002
【図１Ｂ】
2011175288.tif 000003
【図１Ｃ】
2011175288.tif 000004
【図２Ａ】
2011175288.tif 000005
【図２Ｂ】
2011175288.tif 000006
【図２Ｃ】
2011175288.tif 000007
【図２Ｄ】
2011175288.tif 000008
【図３Ａ】
2011175288.tif 000009
【図３Ｂ】
2011175288.tif 000010
【図３Ｃ】
2011175288.tif 000011
【図３Ｄ】
2011175288.tif 000012
【図３Ｅ】
2011175288.tif 000013
【図４Ａ】
2011175288.tif 000014
【図４Ｂ】
2011175288.tif 000015
【図４Ｃ】
2011175288.tif 000016
【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
コンタクトレンズ型の製造に用いられるマスターモデルを製造する方法であって、
（ａ）外面を有するブランクを第１の回転軸を中心として回転させ、ブランクの外面上に少なくとも１つの第１の面を切削する工程と；
（ｂ）複数の第２の回転軸を中心としてブランクを回転させ、各々の第２の回転軸は第１の回転軸と異なり、各第２の回転軸で回転している間に、ブランクの外面から隆起除去表面の部分を切削し、それによってブランクが複数の第２の回転軸の各々を中心として回転された後に、隆起除去表面が形成される工程と、
を含む方法。
【請求項２】
ブランクをスピンドルに取り付け、ブランクを複数の第２の回転軸を中心として回転させる工程が、スペーサーをスピンドルに複数の方向で適用する工程を含み、ここでスペーサーが各々複数の方向で、スピンドルに適用される時、ブランクが複数の第２の回転軸の内の１つの異なる第２の回転軸を中心として回転する、請求項１に記載の方法。
【請求項３】
少なくとも第１の面の一部が、遠見視力面を備える、請求項１に記載の方法。
【請求項４】
少なくとも第１の面の一部が、近見視力面を備える、請求項１に記載の方法。
【請求項５】
少なくとも第１の面の一部が、隆起面を備える、請求項１に記載の方法。
【請求項６】
少なくとも第１の面の一部がベベル面を備える、請求項１に記載の方法。
【外国語明細書】
1. Title of the Invention
2011175288.tif 000017
2. Detailed Description of the Invention
2011175288.tif 000018
2011175288.tif 000019
2011175288.tif 000020
2011175288.tif 000021
2011175288.tif 000022
2011175288.tif 000023
2011175288.tif 000024
2011175288.tif 000025
2011175288.tif 000026
1. Claims
2011175288.tif 000027
2011175288.tif 000028
2011175288.tif 000029
1. Abstract
2011175288.tif 000030
2. Representative Drawing
None
2011175288.tif 000031
2011175288.tif 000032
2011175288.tif 000033
2011175288.tif 000034